(57)【要約】【課題】回転電機のコンパクト化を実現しつつも、軸受やコイルエンド等の供給部位に供給される媒体を良好にケーシングに形成された排出孔から順次排出させることができる回転電機を提供する。【解決手段】回転電機は、ロータ１２０およびステータ１３０を収容する収容室４５０が形成されたモータケース４００と、ステータ１３０に設けられ、ロータ１２０の中心軸方向に位置させられたロータ１２０の端面から離れると共に、該ロータ１２０の端面の少なくとも一部を覆うように設けられた遮蔽板と、供給部位に液媒体を供給する液媒体流通経路とを備え、液媒体は、収容室４５０内のうち、遮蔽板に対して、ロータ１２０と反対側に位置する領域を通って、モータケース４００に形成された排出孔４０２から排出される。【選択図】図１
2009106094.tif 000002
【特許請求の範囲】
【請求項１】
回転可能に設けられた回転シャフトと、
前記回転シャフトに固設されたロータと、
前記ロータの周囲に設けられたステータコアおよび該ステータコアに装着されたコイルとを含む環状のステータと、
前記ロータおよび前記ステータを収容する収容室が形成された収容ケースと、
前記ステータに設けられ、前記ロータの中心軸方向に位置させられた前記ロータの端面から離れると共に、該ロータの端面の少なくとも一部を覆うように設けられた遮蔽板と、
供給部位に液媒体を供給する液媒体流通経路とを備え、
前記液媒体は、前記収容室内のうち、前記遮蔽板に対して、前記ロータと反対側に位置する領域を通って、前記収容ケースに形成された排出孔から排出される、回転電機。
【請求項２】
前記遮蔽板は、前記ステータの軸方向に位置させられた端面に設けられ、該遮蔽板は、前記ステータの前記端面上に固定される固定部と、前記固定部に連設され、前記スタータの内周縁部から該ステータの径方向内方に向けて張り出す張り出し部とを含み、前記張り出し部における前記ステータの径方向外方側の外周縁部は、前記ステータの内周面に沿って延びる、請求項１に記載の回転電機。
【請求項３】
前記ステータには、該ステータの周方向に間隔を隔てて複数のスロットが形成され、前記コイルは、前記スロット内に挿入され、
前記固定部には、前記コイルを受け入れ可能なコイル挿入孔が形成された、請求項２に記載の回転電機。
【請求項４】
前記ロータは、該ロータの周方向に間隔を隔てて形成され、前記ステータに向けて突出する複数のロータティースを含み、
前記遮蔽板の内周縁部は、前記ロータティースの.基部にまで達する、請求項１から請求項３のいずれかに記載の回転電機。
【請求項５】
前記回転シャフトを回転可能に支持する軸受部をさらに備え、前記供給部位は、前記軸受部と前記コイルのコイルエンド部との少なくとも一方を含む、請求項１から請求項４のいずれかに記載の回転電機。
【請求項６】
前記回転シャフト、前記ロータおよび前記ステータの中心軸は、水平方向に沿って配置された、請求項１から請求項５のいずれかに記載の回転電機。
【発明の詳細な説明】
【技術分野】
【０００１】
本発明は、回転電機に関する。
【背景技術】
【０００２】
従来から、ロータと、ステータと、これらロータおよびステータを収容する収容ケースとを備え、ロータの回転を確保するために、工夫がなされた回転電機が各種提案されている。
【０００３】
たとえば、特開平１１−６９６７４号公報に記載された電気モータは、ステータと、回転軸の半径方向に突出し、回転方向に所定ピッチで分布する複数の突極を備えるロータコアと、このロータコアの軸方向端部のそれぞれに設けられた円盤状の端板とを備えている。この端板は、突極部の先端部にまで達するように形成されている。これにより、この電気モータにおいては、突極を備えたロータの風損の低減とロータバランス調整の容易性の向上が図られている。
【０００４】
また、特開２００４−３２２２７４号公報に記載されたグラインダは、フレーム内部にブラシレスＤＣモータを内蔵している。このブラシレスＤＣモータは、固定子と、回転子と、固定子の両側部に形成された防塵用ケーシングと、防塵用ケーシングと回転軸との間に設けられたオイルシールとを備えている。
【０００５】
このブラシレスＤＣモータを製造する際においては、複数の鋼板を重ねて固定子鉄心を構成し、この固定鉄心に固定子巻線を巻回する。そして、固定子鉄心の両端部から固定子巻線が突出した状態で、固定子の両端部をモールド樹脂によって覆い、防塵用ケーシングを形成する。
【０００６】
このグラインダにおいては、金属粉などの塵が覆い作業現場においても、防塵用ケーシングが回転子と固定子との間に金属紛等の塵が入り込むことを抑制するため、ブラシレスＤＣモータのスムーズな駆動が確保されている。
【特許文献１】特開平１１−６９６７４号公報
【特許文献２】特開２００４−３２２２７４号公報
【発明の開示】
【発明が解決しようとする課題】
【０００７】
しかし、特開平１１−６９６７４号公報に記載された電気モータにおいては、円盤状の端板は、ロータと共に回転するため、回転遠心力強度を有している必要がある。このため、却って、ロータの体格が大きくなるという問題があった。
【０００８】
さらに、特開２００４−３２２２７４号公報に記載のグラインダに搭載されたブラシレスＤＣモータにおいては、固定子鉄心の両端部上にモールド樹脂を塗布して、防塵用ケーシングを形成しており、ブラシレスＤＣモータの軸方向の長さが長くなるという問題があった。
【０００９】
ここで、一般に、コイルを含むステータと、ロータとを備えた回転電機が駆動すると、コイルの温度が上昇し、コイルの表面に被覆された絶縁被膜が劣化するため、コイルを冷却したり、ロータが固設された回転シャフトの軸受の潤滑を確保したりする必要がある。
【００１０】
このため、コイルエンドに冷却油を供給したり、軸受に潤滑油を供給する機能を備えた
回転電機が提案されている。そして、このような回転電機においては、軸受やコイルエンドなどに供給されたオイルは、ステータやロータの収容室内を通り、ケーシングに形成された排出孔から排出される。
【００１１】
しかし、潤滑油や冷却油が収容ケース内を滴下したり、ケーシングの内壁面に沿って流れ落ちる際に、ロータが駆動することにより生じる風によって、潤滑油や冷却油が良好に排出孔に達しないという問題があった。
【００１２】
そして、たとえば、上記のような潤滑・冷却媒体を軸受やコイルエンドに供給する回路を備えた回転電機に、特開平１１−６９６７４号公報に記載の端板や、特開２００４−３２２２７４号公報に記載の防塵用ケーシングを設けたとすると、回転電機自体の大きさが大きくなるという問題が生じる。
【００１３】
本発明は、上記のような課題に鑑みてなされたものであって、その目的は、回転電機のコンパクト化を実現しつつも、軸受やコイルエンド等の供給部位に供給される媒体を良好にケーシングに形成された排出孔から順次排出させることができる回転電機を提供することである。
【課題を解決するための手段】
【００１４】
本発明に係る回転電機は、回転可能に設けられた回転シャフトと、回転シャフトに固設されたロータと、ロータの周囲に設けられたステータコアおよび該ステータコアに装着されたコイルとを含む環状のステータと、ロータおよびステータを収容する収容室が形成された収容ケースと、ステータに設けられ、ロータの中心軸方向に位置させられたロータの端面から離れると共に、該ロータの端面の少なくとも一部を覆うように設けられた遮蔽板と、供給部位に液媒体を供給する液媒体流通経路とを備える。そして、上記液媒体は、収容室内のうち、遮蔽板に対して、ロータと反対側に位置する領域を通って、収容ケースに形成された排出孔から排出される。好ましくは、上記遮蔽板は、ステータの軸方向に位置させられた端面に設けられ、該遮蔽板は、ステータの端面上に固定される固定部と、固定部に連設され、スタータの内周縁部から該ステータの径方向内方に向けて張り出す張り出し部とを含み、張り出し部におけるステータの径方向外方側の外周縁部は、ステータの内周面に沿って延びる。好ましくは、上記ステータには、該ステータの周方向に間隔を隔てて複数のスロットが形成され、コイルは、スロット内に挿入され、固定部には、コイルを受け入れ可能なコイル挿入孔が形成される。好ましくは、上記ロータは、該ロータの周方向に間隔を隔てて形成され、ステータに向けて突出する複数のロータティースを含む。そして、上記遮蔽板の内周縁部は、ロータティースの.基部にまで達する。好ましくは、上記回転シャフトを回転可能に支持する軸受部をさらに備え、供給部位は、軸受部とコイルのコイルエンド部との少なくとも一方を含む。好ましくは、上記回転シャフト、ロータおよびステータの中心軸は、水平方向に沿って配置される。
【発明の効果】
【００１５】
本発明に係る回転電機によれば、コンパクト化を実現しつつも、軸受やコイルエンド等の供給部位に供給される媒体を良好にケーシングに形成された排出孔から順次排出させることができる。
【発明を実施するための最良の形態】
【００１６】
本発明に係る実施の形態に係る回転電機、図１から図７を用いて説明する。
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。また、以下に複数の実施の形態が存在する場合、特に記載
がある場合を除き、各々の実施の形態の特徴部分を適宜組合わせることは、当初から予定されている。
【００１７】
図１は、本実施の形態に係る回転電機１００の断面図である。この図１に示すように、回転電機１００は、回転中心軸Ｏを中心に回転可能に設けられた回転シャフト１１０と、この回転シャフト１１０に固設されたロータ１２０と、このロータ１２０の周囲に設けられた環状のステータコア１４２およびステータコア１４２に装着されたコイル１３２を含むステータ１３０と、これらロータ１２０およびステータ１３０を収容する収容室４５０が形成されたモータケース４００とを備えている。
【００１８】
さらに、この回転電機１００は、モータケース４００に設けられ、回転シャフト１１０を回転可能に支持する軸受（供給部位）４１０に油（液媒体）を供給して、軸受４１０の潤滑性を確保したり、コイル１３２のコイルエンド（供給部位）に油（液媒体）を供給して、コイルエンドを冷却したりする油循環回路４２０が設けられている。
【００１９】
ステータ１３０には、ロータ１２０の端面から回転中心軸Ｏ方向に離れると共に、ロータ１２０の端面の少なくとも一部を覆うように設けられた防風板３００を備えている。モータケース４００の一側面の下端部側には、軸受４１０やコイル１３２のコイルエンドに供給された油が排出される排出孔４０２が形成されている。
【００２０】
ここで、油循環回路４２０は、モータケース４００内に形成され、モータケース４００に嵌め込まれた軸受４１０に達する油供給管４０１と、モータケース４００内に形成され、コイル１３２のコイルエンドに油を供給する油供給管４０５と、モータケース４００の底壁部とステータコア１４２との間に形成された排出路４０３と、排出孔４０２とを備えている。
【００２１】
排出路４０３は、モータケース４００の側面のうち、排出孔４０２が形成された側面と反対側に位置する側面と、ステータコア１４２の端面との間に位置する領域から、ステータコア１４２下を通って、排出孔４０２まで達するように延びている。
【００２２】
この回転電機１００においては、たとえば、軸受４１０に供給された油は、軸受４１０から収容室４５０内に入り込み、モータケース４００の内表面とロータ１２０との間に位置する空間を滴下したり、また、モータケース４００の内周面を流れ落ちたりして、排出孔４０２から排出される。なお、排出孔４０２が形成されたモータケース４００の側面と反対側の側面上を流れる油、または、この側面とロータ１２０との間を滴下する油は、排出路４０３を通って、排出孔４０２に達する。
【００２３】
この際、防風板３００は、ロータ１２０の端面から離れた状態で、ロータ１２０の端面の少なくとも一部を覆うように配設されているため、ロータ１２０が回転することで、風が発生したとしても、防風板３００は、滴下したり、モータケース４００の内周面を垂れ下がる油に吹付けられる風量および風速を低減させる。
【００２４】
これにより、油の流れがロータ１２０からの風によって阻害されることを抑制することができ、油の循環を確保することができる。
【００２５】
防風板３００は、回転中心軸Ｏ方向に位置するステータコア１４２の両端面に配設されており、ステータコア１４２と同様に鋼板等によって構成されている。
【００２６】
このため、ステータコア１４２の形状に打ち抜かれた電磁鋼板を複数積層し、さらに、防風板３００をその両端面に配置し、その後、プレス等でカシメて、一体化させることが
できる。このように、容易に防風板３００が装着されたステータコア１４２を構成することができる。
【００２７】
さらに、この防風板３００は、ステータ１３０の端面に固定されており、回転しないため、遠心力強度を確保する必要が無く、薄肉にすることができる。たとえば、防風板３００は、ステータコア１４２を構成する電磁鋼板と同様の厚みまたは薄くすることができる。
【００２８】
これにより、防風板３００を構成に加えたとしても、回転電機１００の体格が大きくなることを抑制することができ、回転電機１００をコンパクトに構成することができる。
【００２９】
図２は、回転中心軸Ｏ方向から見たロータ１２０およびステータ１３０の平面図である。この図２に示すように、防風板３００は、ステータコア１４２の端面上に固定される複数の固定部３０１と、この固定部３０１に連設され、ステータコア１４２の内周面から張り出し、ロータ１２０の少なくとも一部を覆う環状の防風部３０２とを備えている。
【００３０】
このため、少なくともロータ１２０の端面のうち、ロータ１２０の径方向外方側に位置する部分は、防風板３００によって覆われる。その一方で、ロータ１２０は、径方向外方側の方程、速度が速い。このため、防風板３００がロータ１２０の径方向外方側に位置する部分を覆うことで、ロータ１２０の外周側の部分が回転することで生じる強い風が、防風板３００によって緩和される。
【００３１】
これにより、ロータ１２０が回転することで生じる風が、収容室４５０のうち、ロータ１２０と隣り合う部分を流れる油の流れを阻害することを抑制することができ、油を順次循環させることができる。
【００３２】
図３は、固定部３０１およびその近傍の平面図であり、図４は、ステータ１３０の断面図である。なお、図３においては、コイル１３２を省略している。
【００３３】
ここで、図３および図４に示すように、ステータコア１４２は、環状に形成されたヨーク部１４５と、このヨーク部１４５の内周面からロータ１２０に向けて突出し、ステータコア１４２の周方向に間隔を隔てて形成された複数のステータティース２１０とを備えている。そして、ステータティース２１０間には、コイル１３２が挿入される複数のスロット２２０が規定されている。
【００３４】
ここで、本実施の形態に係る回転電機１００は、三相交流電力が供給されており、コイル１３２は、Ｕ相コイル１３２Ｕと、Ｖ相コイル１３２Ｖと、Ｗ相コイル１３２Ｗとを備えている。
【００３５】
そして、周方向に沿って、順次にスロット２２０内にＵ相コイル１３２Ｕと、Ｖ相コイル１３２Ｖと、Ｗ相コイル１３２Ｗとが挿入されている。
【００３６】
図５は、Ｕ相コイル１３２Ｕの一部を示す斜視図である。この図５に示すように、Ｕ相コイル１３２Ｕは、複数の導体セグメント(segment)１５０を接続することで構成されている。導体セグメント１５０は、Ｕ字形状に湾曲する湾曲部と、この湾曲部に連設され、回転中心軸Ｏ方向に延び、スロット２２０内に挿入される挿入部と、この挿入部に連設された脚部と、この脚部の先端部に形成され、隣り合う導体セグメント１５０に接続される端子部とを備えている。
【００３７】
導体セグメント１５０は、脚部が開くように形成されたオープン型導体セグメント１５
１，１５４と、湾曲部を含み、脚部が近づくように形成されたクローズ型導体セグメント１５２，１５３とを有している。
【００３８】
オープン型導体セグメント１５１とクローズ型導体セグメント１５３とが順次接続されることで１つの単位Ｕ相コイルが形成され、さらに、クローズ型導体セグメント１５２とオープン型導体セグメント１５４とが接続されることでさらに別の単位Ｕ相コイルが形成されている。
【００３９】
オープン型導体セグメント１５１は、ステータコア１４２の上方に位置し、湾曲する湾曲部１６４と、この湾曲部１６４の一方の端部に連設され、スロット２２０Ａ内に挿入された挿入部１６３と、湾曲部１６４の他方の端部に連設され、スロット２２０Ｂ内に挿入された挿入部１６５とを備えている。
【００４０】
そして、挿入部１６３の端部には、ステータコア１４２の下方に位置し、スロット２２０Ａに対してスロット２２０Ｂと反対側のスロット２２０Ｃに向けて屈曲する脚部１６２が形成され、この脚部１６２の先端部には接続部１６１が形成されている。
【００４１】
挿入部１６５の端部には、ステータコア１４２の下方に位置し、脚部１６２に対して反対方向に屈曲する脚部１６６が形成されており、この脚部１６６の端部には、接続部１６７が形成されている。
【００４２】
このように形成されたオープン型導体セグメント１５１の接続部１６１には、クローズ型導体セグメント１５３が接続されている。
【００４３】
クローズ型導体セグメント１５３は、ステータコア１４２の上方に位置し、湾曲する湾曲部１８４と、この湾曲部１８４の一方の端部に連設され、スロット２２０Ａ内に挿入された挿入部１８３と、湾曲部１８４の他方の端部に連設され、スロット２２０Ｃ内に挿入された挿入部１８５とを備えている。
【００４４】
挿入部１８３の先端部には、ステータコア１４２の下方に位置し、スロット２２０Ｃに向けて屈曲する脚部１８２が形成されており、この脚部１８２の端部には、接続部１８１が形成されている。さらに、挿入部１８５の先端部には、ステータコア１４２の下方に位置し、下方に向かうにしたがって、脚部１８２に近接する脚部１８６が形成されている。この脚部１８６の端部には、接続部１８７が形成されている。そして、接続部１８７と接続部１６１とが接続されている。
【００４５】
オープン型導体セグメント１５４は、上記オープン型導体セグメント１５１と同様に形成されており、スロット２２０Ａ内に挿入された挿入部１９３と、スロット２２０Ｃ内に挿入された挿入部１９５と、各挿入部１９３および挿入部１９５の上端部を接続する湾曲部１９４とを備えている。
【００４６】
そして、挿入部１９３に連設された脚部１９２と、挿入部１９５に連設された脚部１９６とは、下方に向かうにしたがって互いの間隔が大きくなるように形成されている。そして、脚部１９６の端部には、接続部１９７が形成されており、脚部１９２の先端部には、接続部１９１が形成されている。
【００４７】
このオープン型導体セグメント１５４の接続部１９１には、クローズ型導体セグメント１５２が接続されており、このクローズ型導体セグメント１５２は、上記クローズ型導体セグメント１５３と同様に形成されている。
【００４８】
クローズ型導体セグメント１５２は、スロット２２０Ａ内に挿入された挿入部１７３と、スロット２２０Ｂ内に挿入された挿入部１７５と、挿入部１７３の上端部と挿入部１７５の上端部とを連設する湾曲部１７４とを備えている。
【００４９】
そして、挿入部１７５の下端部に連設された脚部１７６と、挿入部１７３の下端部に連設された脚部１７２とは、下方に向かうに従って互いに近接するように形成されている。そして、脚部１７６の下端部に形成された接続部１７７は、オープン型導体セグメント１５４の接続部１９１に接続されている。
【００５０】
上記のように各導体セグメント１５０が接続された状態で、クローズ型導体セグメント１５２の接続部１７１には電力が供給され、オープン型導体セグメント１５１の接続部１６７に電力が供給される。
【００５１】
なお、各導体セグメント１５０の表面には、絶縁被膜が形成されており、各導体セグメント１５０同士の接続部の接触部分では、絶縁被膜が除去されており、銅などの金属材料から構成された芯線同士が接触しており、互いに溶接により固定されている。図４に示すように、スロット２２０Ａにおいては、スロット２２０Ａの径方向外方側から挿入部１９３，１８３，１７３，１６３が順次挿入されている。
【００５２】
また、スロット２２０Ｂ内においては、径方向外方側から挿入部１６５，１７５が順次挿入されている。スロット２２０Ｃにおいては、径方向外方側から３番目に挿入部１８５が挿入されており、４番目に挿入部１９５が挿入されている。
【００５３】
ここで、図３に示すように、防風板３００の固定部３０１には、スロット２２０と同様に形成されたセグメント挿入孔３０３が形成されている。そして、セグメント挿入孔３０３は、スロット２２０上に位置している。
【００５４】
このため、各セグメント挿入孔３０３内にも、スロット２２０と同様に、各導体セグメント１５０の挿入部が挿入されている。
【００５５】
なお、固定部３０１に形成されたセグメント挿入孔３０３は、ステータコア１４２の径方向に延びており、セグメント挿入孔３０３の径方向内方側の端部は、閉塞されている。このように、スロット２２０の径方向内方側の端部は、開口している一方で、セグメント挿入孔３０３の径方向内方側の端部は閉塞されており、長円形状に形成されている。
【００５６】
ここで、図６を用いて、防風板３００およびコイル１３２をステータコア１４２に装着する工程を説明する。図６は、ステータコア１４２の端面に防風板３００を配置した状態でコイル１３２を装着するときの工程を示す斜視図である。
【００５７】
この図６に示すように、各スロット２２０およびセグメント挿入孔３０３内に絶縁紙２３０を挿入した状態で、スロット２２０およびセグメント挿入孔３０３内にＵ型セグメント２５１およびＵ型セグメント２５２をステータコア１４２の上方から回転中心軸Ｏ方向に沿って挿入する。
【００５８】
ここで、Ｕ型セグメント２５１は、スロット２２０やセグメント挿入孔３０３内に挿入される脚部２６６と、この脚部２６６の上端部に接続された湾曲部２６４と、湾曲部２６４の他方の端部に接続された脚部２６２とを備えており、Ｕ字形状とされている。
【００５９】
Ｕ型セグメント２５２は、Ｕ型セグメント２５１の内側に沿うように配置されている。このＵ型セグメント２５２も、スロット２２０内に挿入される脚部２７６と、脚部２７６
の上端部に接続された湾曲部２７４と、湾曲部２７４の他方の端部に接続された脚部２７２とを備えている。
【００６０】
脚部２７６は、脚部２６６に対して、径方向外方側に位置しており、ステータコア１４２の径方向外方側に位置している。そして、脚部２７２は、脚部２６２に対して、ステータコア１４２の径方向内方側に位置している。
【００６１】
このように形成されたＵ型セグメント２５１およびＵ型セグメント２５２の各脚部をスロット２２０内に挿入する。
【００６２】
ここで、脚部２６６および脚部２７６は同一のスロット２２０内に挿入され、脚部２６２および脚部２７２は、脚部２６６および脚部２７６が挿入されたスロット２２０とは、別のスロット２２０に挿入される。
【００６３】
なお、スロット２２０の上方に固定部３０１が設けられた部分においては、固定部３０１内にも、Ｕ型セグメント２５１またはＵ型セグメント２５２の脚部が挿入される。
【００６４】
そして、図７は、上記図６に示された回転電機の製造工程後における工程を模式的に示したものであり、オープン型導体セグメント１５１の斜視図である。
【００６５】
上記図７および図６において、Ｕ型セグメント２５１をスロット２２０およびセグメント挿入孔３０３内に挿入した後、Ｕ型セグメント２５１の脚部２６２を屈曲させて、脚部１６２および接続部１６１を形成する。さらに、脚部２６６を屈曲させて、脚部１６６および接続部１６７を形成する。
【００６６】
また、同様に、図６に示すＵ型セグメント２５２においても、スロット２２０Ａおよびスロット２２０Ｂ内に挿入した後に、脚部２７６および脚部２７２を屈曲させて、図５に示す脚部１７２および脚部１７６と、接続部１７１および接続部１７７とを形成する。
【００６７】
同様に他のＵ型セグメントを変形させて、オープン型導体セグメントまたはクローズ型導体セグメントを形成する。そして、形成された各接続部同士を接続して、コイル１３２を形成する。
【００６８】
このようにステータコア１４２の端面上に防風板３００を配置した状態であっても、
Ｕ型セグメント２５２およびＵ型セグメント２５１を回転中心軸Ｏ方向から挿入することで、コイル１３２を構成することができる。
【００６９】
ここで、図２および図３に示されるように、ロータ１２０は、筒状に形成されたロータヨーク１２４と、このロータヨーク１２４の外周面上に周方向に間隔を隔てて形成され、ステータ１３０に向けて突出するロータティース１２３とを備えている。
【００７０】
そして、周方向に隣り合うロータティース１２３間には、ロータスロット２２５が規定されている。
【００７１】
ロータスロット２２５は、周方向に隣り合うロータティース１２３の側面２２３と、隣り合うロータティース１２３間に位置する円弧状の底面２２４とによって規定されている。
【００７２】
防風部３０２の外周縁部３０５は、各ステータティース２１０の径方向内方に位置する各ティース端面２２１を通る仮想円Ｌ２上に位置している。そして、少なくとも各ロータ
ティース１２３のロータ端面２２２を通る仮想円Ｌ１上に位置している。
【００７３】
そして、防風部３０２の径方向内方に位置する内周縁部３０４は、少なくともロータティース１２３の径方向中央部よりも、径方向内方にまで達している。
【００７４】
そして、好ましくは、各ロータティース１２３とロータヨーク１２４との接続部であるロータティース１２３の各基部および底面２２４の底点を通る仮想円Ｌ３にまで達しているのが好ましい。
【００７５】
ここで、本実施の形態に係る回転電機１００は、たとえば、ハイブリッド車両は電気自動車等に搭載される。そして、この車両が略平坦な地面を走行している際には、回転シャフト１１０の回転中心軸Ｏや、ロータ１２０およびステータ１３０の中心軸は、略水平状態となるように、モータケース４００内に収容されている。
【００７６】
そして、上記のように防風板３００が仮想円Ｌ３にまで達するように延在されている場合には、軸受４１０に供給された潤滑油やコイル１３２のコイルエンドに供給された冷却油が、ロータ１２０の近傍を通る際に、ロータ端面２２２とティース端面２２１とのギャップＧＰや、ロータスロット２２５内に入り込むことを抑制することができる。
【００７７】
これにより、ロータ１２０の駆動時に、ギャップＧＰ内に入り込んだ冷却油等によって、ロータ１２０の回転抵抗が大きくなったり、ロータスロット２２５内に入り込んだ潤滑油等を攪拌する必要が生じ、ロータ１２０の攪拌抵抗が大きくなったりすることを抑制することができる。
【００７８】
さらに、防風板３００のうち、固定部３０１以外の部分は、ステータコア１４２の端面上に位置しておらず、ステータコア１４２の端面に対して径方向内方側に位置している。このため、防風板３００を介して、ステータ１３０とロータ１２０との間で磁束が漏れることを抑制することができ、回転電機１００の駆動を確保することができる。
【００７９】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。さらに、上記数値などは、例示であり、上記数値および範囲にかぎられない。
【産業上の利用可能性】
【００８０】
本発明は、回転電機に適用することができ、特に、コイルエンドを油冷したり、軸受に潤滑油を供給する回転電機には、好適である。
【図面の簡単な説明】
【００８１】
【図１】本実施の形態に係る回転電機の断面図である。
【図２】回転中心軸方向から見たロータおよびステータの平面図である。
【図３】固定部およびその近傍の平面図である。
【図４】ステータの断面図である。
【図５】Ｕ相コイルの一部を示す斜視図である。
【図６】ステータコアの端面に防風板を配置した状態でコイルを装着するときの工程を示す斜視図である。
【図７】図６に示された回転電機の製造工程後における工程を模式的に示したものであり、オープン型導体セグメントの斜視図である。
【符号の説明】
【００８２】
１００  回転電機、１１０  回転シャフト、１２０  ロータ、１２３  ロータティース、１２５  ロータヨーク、１３０  ステータ、１３１  ステータコア、１３２  コイル、１４２  ステータコア、１４５  固定部材、１５０  導体セグメント、１５１〜１５４  導体セグメント、１６１，１６３，１７１，１７３，１８１，１８３，１９１，１９３  接続部、１６２，１６６，１７２，１７６，１８２，１８６，１９２，１９６  脚部、１６４，１７４，１８４，１９４  湾曲部、２１０  ステータティース、２１１  底部、２１２，２１３，２１２、２１４  開口部、２２０  スロット、２３０  絶縁紙、２３１  側面絶縁部、２３２  接続部、２３３  側面絶縁部、２３４  屈曲部、２３５  屈曲部、２５１  Ｕ型セグメント、２５２  Ｕ型セグメント、３００  防風板、３０１  固定部、３０２  防風部、３０３  セグメント挿入孔、４００  モータケース、４０１  冷却油供給管、４０２  排出孔、４０３  排出路、４１０  軸受、４２０  油循環回路、４５０  収容室。
【図１】
2009106094.tif 000003
【図２】
2009106094.tif 000004
【図３】
2009106094.tif 000005
【図４】
2009106094.tif 000006
【図５】
2009106094.tif 000007
【図６】
2009106094.tif 000008
【図７】
2009106094.tif 000009